(57)【特許請求の範囲】
【請求項１】
特性を測定したデバイスと、特性調整を行うフィルタと、を備えたフィルタモジュールの製造方法であって、
前記デバイスの特性とフィルタモジュールの目標特性とから、前記フィルタに要求される要求特性を求める工程と、
前記フィルタ単体での特性を測定する工程と、該特性と前記要求特性とから、該要求特性を満たすための、前記フィルタの調整箇所および調整量を求め、当該調整を行うフィルタ特性調整工程と、
特性調整後のフィルタと前記デバイスとを接続して、組み合わせる工程とを含むフィルタモジュールの製造方法であって、前記フィルタと前記デバイスとの接続を、前記フィルタに設けたピンと、前記デバイスに設けた伝送線路との接続により行うようにし、且つ前記フィルタ単体では、前記ピンを中心導体とするコネクタアダプタを取り付けて前記フィルタ単体での特性を測定するようにしたフィルタモジュールの製造方法。
【請求項２】
前記デバイスは基板上に構成した回路であり、前記フィルタには、前記基板を嵌め込む凹部を備えている請求項１に記載のフィルタモジュールの製造方法。
【請求項３】
前記デバイスは低雑音増幅回路であり、該低雑音増幅回路の前段または後段に前記フィルタを接続した請求項１または２に記載のフィルタモジュールの製造方法。
【発明の詳細な説明】
【０００１】
【発明の属する技術分野】
この発明は、フィルタとその他のデバイスとを含むフィルタモジュールの製造方法に関するものである。
【０００２】
【従来の技術】
従来、フィルタと低雑音増幅回路（ＬＮＡ）とを備えたフィルタモジュールが特開平５−８３１４７に開示されている。このフィルタモジュールは、フィルタとＬＮＡとを同一のケースに収納し、ＬＮＡがフィルタの出力部の結合線路に直接接続されるように構成している。
【０００３】
このように結合線路を用いることにより、フィルタおよびＬＮＡの特性をモニタリングでき、それらの調整が可能となる。
【０００４】
【発明が解決しようとする課題】
ところが、このようにフィルタとその他のデバイスを直結して同一ケース内に収納したフィルタモジュールでは、調整時に、フィルタとデバイスを共に調整する必要があるため、調整に時間を要するという問題があった。また、フィルタとデバイスを組み合わせた状態では、それぞれの単体での特性が不明であるため、それらの調整が容易ではなかった。
【０００５】
この発明の目的は、調整時間を短縮化し、所定の特性を得るための調整を容易にしたフィルタモジュールの製造方法を提供することにある。
【０００６】
【課題を解決するための手段】
この発明のフィルタモジュールの製造方法は、特性を測定したデバイスと、特性調整を行うフィルタと、を備えてフィルタモジュールを製造する。
先ず、前記デバイスの特性とフィルタモジュールの目標特性とから、前記フィルタに要求される要求特性を求め、
前記フィルタ単体での特性を測定し、その後、該特性と前記要求特性とから、該要求特性を満たすための、前記フィルタの調整箇所および調整量を求め、当該調整を行い、
特性調整後のフィルタと前記デバイスとを組み合わせる。
このことによって、フィルタモジュールの製造を行う。
【０００７】
また、前記フィルタと前記デバイスとの接続を、前記フィルタに設けたピンと、前記デバイスに設けた伝送線路との接続により行うようにし、且つ前記フィルタ単体では、前記ピンを中心導体とするコネクタアダプタを取り付けて、前記フィルタ単体での特性を測定することを特徴とする。
【０００８】
また、この発明のフィルタモジュールの製造方法は、前記デバイスを、基板上に構成した回路とし、前記フィルタには、基板を嵌め込む凹部を備えたものとする。
【０００９】
また、この発明のフィルタモジュールの製造方法は、前記デバイスを低雑音増幅回路（ＬＮＡ）とし、低雑音増幅回路の前段または後段に前記フィルタを接続したものとする。
【００１０】
【発明の実施の形態】
以下、各図を参照して、フィルタモジュールの製造方法について説明する。
図１の（Ａ）は、フィルタモジュールと、その特性調整時での構成を示すブロック図である。図１の（Ｂ）は、フィルタ単体での構成を示すものであり、デバイス２０から分離したものである。フィルタモジュールは、図１の（Ａ）に示すように、フィルタ１０の後段に、フィルタ以外のデバイスであるＬＮＡ２０を設けた構造をとる。この発明のフィルタモジュールの製造方法では、特性が既知であるデバイスを２０を用いて、フィルタ１０単体で、特性の測定および特性調整を行う。
【００１１】
図２は、フィルタ、デバイスおよびフィルタモジュールの構成を示す斜視図である。（Ａ）はフィルタ単体での状態を示している。フィルタ１０には、外部との接続用コネクタ１４を備えている。また、デバイスを構成する基板を嵌め込むための凹部１１を備えている。さらに、デバイスの伝送線路に接続するためのピン１２を突出させている。このフィルタ１０は、誘電体ブロックの内外に電極を設けた誘電体フィルタ、またはキャビティ内に誘電体共振器を配置した誘電体フィルタである。また、このフィルタ１０には、周波数調整用の周波数調整ネジを必要に応じて備えている。
【００１２】
図中１３はコネクタアダプタであり、ピン１２にこのコネクタアダプタ１３を取り付けることによって、コネクタアダプタ１３を外導体、ピン１２を中心導体、とする同軸コネクタを構成する。その状態で、フィルタの前段はコネクタ１４を介して外部に接続でき、フィルタの後段はコネクタアダプタ１３およびピン１２からなる同軸コネクタで外部に接続可能となる。
【００１３】
図２の（Ｂ）は、フィルタに対してデバイスを取り付ける状態を示している。ここでデバイス２０は、その全体を回路基板で構成している。デバイス２０には、外部との接続用コネクタ２１を設けている。デバイス２０をフィルタ１０の凹部１１に嵌め込み、フィルタのピン１２をデバイス２０の伝送線路に半田付けすることによって、フィルタとデバイスとの電気的接続を行う。３０は保護用のカバーであり、デバイス２０の表面に貼着する。これにより、図２の（Ｃ）に示すように、フィルタモジュール１００を構成する。
【００１４】
図３は、上記フィルタのピンに対するコネクタアダプタの取り付けおよびデバイスの接続について示している。フィルタ単体では、（Ａ）に示すように、コネクタアダプタ１３をピンに取り付けることによって、フィルタの出力側のコネクタを構成する。フィルタ単体での特性測定および特性調整が終了した後は、（Ｂ）に示すように、コネクタアダプタ１３を取り外し、（Ｃ）および（Ｄ）に示すように、フィルタのピン１２にデバイスの伝送線路２２を半田付けすることによって、フィルタとデバイスとの電気的接続を行う。
【００１５】
図４はフィルタモジュールの製造方法の手順を示すフローチャートである。この発明では、フィルタモジュールに用いるデバイス（ＬＮＡ）の製造ばらつきについては、調整などを行わずに、フィルタ部分のみを調整することによって、フィルタモジュール全体の特性を所定の規格内に収めるようにした製造方法である。
【００１６】
まず、デバイスの特性と、フィルタモジュールの目標特性とから、フィルタに要求される特性を求める（ｎ１）。具体的には、フィルタモジュールの特性はＳパラメータで規格化する。フィルタ以外のデバイスは、予めネットワークアナライザにて、そのＳパラメータを測定しておき、フィルタモジュールの規格化したＳパラメータと、デバイスのＳパラメータとから、その規格化したフィルタモジュールのＳパラメータを満足するように、フィルタのＳパラメータを高周波シミュレータによって求める。
【００１７】
次に、フィルタ単体での特性を測定し、そのフィルタ特性と要求特性とから、フィルタの調整箇所および調整量を求める（ｎ２→ｎ３）。具体的には、フィルタを構成する各素子（等価的なキャパシタンスやインダクタンスなど）の上限および下限を予め設定しておき、目標とするフィルタのＳパラメータを満足するようにフィルタを構成する各素子の値を高周波シミュレータによって求める。なお、フィルタの各素子の現実に調整可能な範囲はそれぞれ異なっているため、これを予め入力しておく。
【００１８】
次に、求めた、フィルタを構成する各素子の値をパソコンに入力し、パソコンとネットワークアナライザとを接続し、ネットワークアナライザにフィルタを接続し、フィルタのどの部分をどれだけ切削加工すればよいか、またはどの共振器の周波数調整ネジをどれだけ回転させればよいか、などを算出し、それらの部分の調整を行いながら、要求されるフィルタのＳパラメータを満足させるようにする（ｎ４）。
【００１９】
その後、フィルタとデバイスとを組み立て、フィルタモジュールを作成する（ｎ５）。さらに、最終的にフィルタモジュールの特性を測定し、規格範囲内に収まっているか否かを判定し、合格したものを良品とする（ｎ６→ｎ７）。
【００２０】
【発明の効果】
この発明によれば、フィルタ以外のデバイスを無調整とし、フィルタ単体での測定および調整を可能としたので、調整に要する時間が短縮化され、且つ容易に特性調整が行えるようになる。
【００２１】
また、この発明によれば、フィルタとデバイスとを分離した状態で、デバイスに対するフィルタの接続部分で外部に接続できるようになるため、デバイスとフィルタ以外の要素が入らずに、フィルタ単体での特性測定が確実に行える。そのため、フィルタ単体での調整でも所定のフィルタモジュールの特性が容易に得られる。
【００２２】
また、この発明によれば、フィルタに、基板上に構成したデバイスを嵌め込む凹部を設けたことにより、フィルタとデバイスとの組み立てが容易となる。
【００２３】
また、この発明によれば、デバイスを低雑音増幅回路（ＬＮＡ）としたことにより、伝送損失の少ない、小型のフィルタ付低雑音増幅器が構成できる。
【図面の簡単な説明】
【図１】フィルタおよびフィルタモジュールの構成を示すブロック図
【図２】フィルタ、デバイスおよびフィルタモジュールの構成を示す斜視図
【図３】フィルタとデバイスとの接続部分の構成を示す部分斜視図
【図４】フィルタモジュールの製造方法の手順を示すフローチャート
【符号の説明】
１０−フィルタ
１１−凹部
１２−ピン
１３−コネクタアダプタ
１４−コネクタ
２０−デバイス（ＬＮＡ）
２１−コネクタ
２２−伝送線路
３０−カバー
１００−フィルタモジュール
【図１】
0003743374.tif 000002
【図２】
0003743374.tif 000003
【図３】
0003743374.tif 000004
【図４】
0003743374.tif 000005